(57)【要約】【課題】カードが所定の位置まで差し込まれていない状態にあるカードトレイであってもコネクタ本体に差し込むことができるカードコネクタを提供する。【解決手段】このカードコネクタ１００は、カード７０を受容するカードトレイ５０と、コネクタ本体（下側ハウジング２０）とを備えている。カードトレイ５０には、矢印Ｆで示す、コネクタ本体への差込み方向と交差する、矢印Ｗで示す横方向へカード７０をスライドさせることによりそのカード７０を受容するカード受容部５３が設けられている。一方、下側ハウジング２０には、カム面２２が設けられている。このカム面２２は、カードトレイ５０が正しい受容位置から外れた位置に受容されたカード７０を伴って差し込まれてきたときのカード７０に干渉する。そして、このカム面２２は、カード７０を、正しい受容位置にスライドさせる。【選択図】図６
2018010727.tif 000002
【特許請求の範囲】
【請求項１】
第１のカードを受容するカードトレイと、該カードトレイを受容する受容空間を有するコネクタ本体とを備え、
前記カードトレイが、前記第１のカードを、前記コネクタ本体への差込み方向に交差する横向きのスライドにより受容する第１のカード受容部を有し、
前記コネクタ本体が、前記カードトレイが所定の受容位置から外れた位置に受容された前記第１のカードを伴って差し込まれてきたときの該第１のカードに干渉して、該第１のカードを該所定の受容位置にスライドさせるカム面を有することを特徴とするカードコネクタ。
【請求項２】
前記カードトレイが、前記第１のカード受容部が設けられている第１面に対する裏面である第２面に、第２のカードを受容する第２のカード受容部が設けられているカードトレイであって、
前記コネクタ本体の前記受容空間が、前記第１のカード受容部および第２のカード受容部にそれぞれ前記第１のカードおよび前記第２のカードを受容した状態の前記カードトレイを受容する受容空間であることを特徴とする請求項１に記載のカードコネクタ。
【請求項３】
前記カードトレイが、前記第２面に、前記第２のカード受容部を複数有することを特徴とする請求項２に記載のカードコネクタ。
【発明の詳細な説明】
【技術分野】
【０００１】
本発明は、カードを受容するカードトレイと、そのカードトレイが挿抜自在に差し込まれるコネクタ本体とを備えたカードコネクタに関する。
【背景技術】
【０００２】
カードトレイの、コネクタ本体に差し込む姿勢における下面に、カードを載せる必要を生じる場合がある。例えば、カードトレイの上面と下面の双方にカードを載せたり、あるいはコネクタ本体を回路基板の下向きの面に搭載する場合などに、カードを下面に載せることになる。
【０００３】
カードトレイの下面にカードを載せる場合には、カードの落下を防止する構造が必要となる。それを実現する構造の１つとして、カードを横方向からカードトレイに差し込む構造とし、その差し込みの際にそのカードの縁が入り込む溝をカードトレイに設けておくことが考えられる。この構造を採用すると、カードトレイの姿勢を、カードを載せた面が下向きとなる姿勢に変えても、カードの落下を防止することができる。
【０００４】
ただし、カードを横方向にスライドさせてカードトレイに載せる構造を採用すると、
カードがカードトレイに中途半端に差し込まれたまま、カードトレイをコネクタ本体に差し込もうとすることが考えられる。カードが中途半端に差し込まれたままカードトレイをコネクタ本体に差し込もうとすると、カードがコネクタ本体に突き当たり、差込み不能となるおそれがある。あるいは、差込み不能となるだけではなく、カードあるいはカードコネクタを破損させるおそれもある。
【０００５】
ここで、特許文献１には、カードトレイではないが、複数枚のカードをホルダに横向きに差し込んで、そのホルダを機器本体に差し込むタイプのメモリ装置が開示されている。この特許文献１のメモリ装置の場合、カードはホルダに完全に差し込まれている必要がある。仮に、カードがホルダから横向きにはみ出た状態のまま、ホルダを機器本体に差し込もうとすると、カードが機器本体の差込口の脇に突き当たることになる。
【先行技術文献】
【特許文献】
【０００６】
【特許文献１】特開２００１−２９１０７４号公報
【発明の概要】
【発明が解決しようとする課題】
【０００７】
本発明は、上記事情に鑑み、カードが所定の位置まで差し込まれていない状態にあるカードトレイであってもコネクタ本体に差し込むことができるカードコネクタを提供することを目的とする。
【課題を解決するための手段】
【０００８】
上記目的を達成する本発明のカードコネクタは、
第１のカードを受容するカードトレイと、そのカードトレイを受容する受容空間を有するコネクタ本体とを備え、
上記カードトレイが、上記第１のカードを、コネクタ本体への差込み方向に交差する横向きのスライドにより受容する第１のカード受容部を有し、
上記コネクタ本体が、カードトレイが所定の受容位置から外れた位置に受容された第１のカードを伴って差し込まれてきたときの第１のカードに干渉して、その第１のカードを所定の受容位置にスライドさせるカム面を有することを特徴とする。
【０００９】
本発明のカードコネクタは、コネクタ本体が上記のカム面を有するコネクタである。ここで、カードが所定の受容位置から外れた位置に受容された状態にあるカードトレイがコネクタ本体に差し込まれた場合を考える。本発明のカードコネクタによれば、この場合であっても、カードがカム面で押されて所定の受容位置に向かってスライドしながら、カードトレイがコネクタ本体に差し込まれる。
【００１０】
ここで、本発明のカードコネクタにおいて、
上記カードトレイが、上記第１のカード受容部が設けられている第１面に対する裏面である第２面に、第２のカードを受容する第２のカード受容部が設けられているカードトレイであって、
上記コネクタ本体の受容空間が、第１のカード受容部および第２のカード受容部にそれぞれ第１のカードおよび第２のカードを受容した状態のカードトレイを受容する受容空間であってもよい。
【００１１】
また、この場合に、上記カードトレイが、上記第２面に、第２のカード受容部を複数有していてもよい。
【００１２】
本発明は、例えばこのような、カードトレイの第１面と第２面との双方にカードを載せるタイプのカードコネクタに好適に適用することができる。
【発明の効果】
【００１３】
以上の本発明によれば、カードが所定の受容位置から外れた位置に受容された状態にあるカードコネクタであっても、コネクタ本体に正しく差し込むことができる。
【図面の簡単な説明】
【００１４】
【図１】本発明の一実施形態としてのカードコネクタを構成するコネクタ本体の３面図である。
【図２】本発明の一実施形態としてのカードコネクタの分解斜視図である。
【図３】カードトレイの上面と、その上面に置かれる２枚のカードを示した斜視図である。
【図４】カードトレイを裏返して示した、そのカードトレイの下面と、その下面に置かれる１枚のカードを示した斜視図である。
【図５】カードトレイの下面を示した平面図（Ａ）と、その図４（Ａ）に示した矢印Ｂ−Ｂに沿う断面図（Ｂ），（Ｃ）である。
【図６】図１に示す矢印Ａ−Ａに沿う面で切断したコネクタ本体と、その矢印Ａ−Ａに相当する面で切断したカードトレイ及びカードの断面図である。
【図７】コネクタ本体を構成する下側ハウジングと、そのコネクタ本体に差し込まれつつあるカードトレイを示した斜視図である。
【発明を実施するための形態】
【００１５】
以下、本発明の実施の形態について説明する。
【００１６】
図１は、本発明の一実施形態としてのカードコネクタを構成するコネクタ本体の３面図である。ここで、図１（Ａ）は、平面図、図１（Ｂ）は、正面図、図１（Ｃ）は、側面図である。
【００１７】
このコネクタ本体１０には、図１（Ｂ）に示すように、カードトレイ５０（図２参照）が差し込まれる差込口１１を有し、その奥には、差し込まれたカードトレイ５０を受容する受容空間１２が形成されている。
【００１８】
図２は、本発明の一実施形態としてのカードコネクタの分解斜視図である。
【００１９】
このカードコネクタ１００は、図１に組み立てられた状態を示すコネクタ本体１０と、さらにカードトレイ５０とを備えている。
【００２０】
カードトレイ５０には、その上面に、２枚のナノＳＩＭカード等のカード６０が載置されている。また、この図２にはあらわれていないが、カードトレイ５０の下面側にも、１枚のマイクロＳＤカード等のカード７０（図４参照）が置かれている。
【００２１】
コネクタ本体１０は、下側ハウジング２０と、上側ハウジング３０と、金属シェル４０とを備えている。下側ハウジング２０には、カードトレイ５０の下面に置かれたカード７０の接続パッド７１（図４参照）に接触するコンタクト２１が備えられている。また、上側ハウジング３０には、カードトレイ５０の上面に置かれている２枚のカード６０の接続パッド６１に接続するコンタクト３１が備えられている。そして、下側ハウジング２０と上側ハウジング３０との間に、カードトレイ５０を受容する受容空間１２が形成されている。また、金属シェル４０は、下側ハウジング２０及び上側ハウジング３０を上側ハウジング３０の上から覆うことによって、シールドと補強の役割りを成す部材である。
【００２２】
カードトレイ５０は、この図２に矢印Ｆで示す差込みの向きに、コネクタ本体１０の差込口１１（図１参照）から、受容空間１２内に差し込まれる。
【００２３】
図３は、カードトレイの上面と、その上面に置かれる２枚のカードを示した斜視図である。
【００２４】
このカードトレイ５０の上面には、２枚のカード６０を受容する２つのカード受容部５１が設けられている。これらの、カードトレイ５０の上面に設けられている２つのカード受容部５１は、本発明にいう第２のカード受容部の一例に相当する。また、それらのカード受容部５１に受容される２枚のカード６０は、本発明にいう第２のカードの一例に相当する。さらに、このカードトレイ５０の、２つのカード受容部５１が設けられている上面は、本発明にいう第２面の一例に相当する。このカードコネクタ５０の上面に設けられている２つのカード受容部５１には、２枚のカード６０が、その接続パッド６１を上に向けた姿勢で、図３（Ｂ），（Ｃ）に示すようにして上方から載置される。これにより、その上面に設けられている２つのカード受容部５１に、それら２枚のカード６０がそれぞれ受容される。
【００２５】
このカードトレイ５０の、矢印Ｆで示す差込み方向の前方寄りの左右の側面には、窪み５２が形成されている。これら左右の窪み５２は、このカードトレイ５０をコネクタ本体１０に差し込んだときのロック用の窪みである。詳細は後述する。
【００２６】
図４は、カードトレイを裏返して示した、そのカードトレイの下面と、その下面に置かれる１枚のカードを示した斜視図である。
【００２７】
このカードトレイ５０には、図４に示す下面にも、カードを受容するカード受容部５３が設けられている。このカード受容部５３には、図４（Ｂ），（Ｃ）に示す形状のカード７０が、カードトレイ５０の、コネクタ本体１０への差込み方向（矢印Ｆ方向）とは交差する、矢印Ｗで示す横方向へのスライドにより差し込まれる。このスライドによるカード７０の差込みは、そのカード７０の接続パッド７１を、この図４における上に向けた姿勢で行われる。
【００２８】
図５は、カードトレイの下面を示した平面図（Ａ）と、その図４（Ａ）に示した矢印Ｂ−Ｂに沿う断面図（Ｂ），（Ｃ）である。ここで、図５（Ｂ）は、カードトレイ５０単体の断面図、図５（Ｃ）は、カードトレイ５０の上面及び下面のカード受容部５１，５３（図３，図４参照）にカード６０，７０を受容させた状態の断面図である。
【００２９】
カードトレイ５０の下面のカード受容部５３には、図５（Ｂ）に示す溝５４が設けられている。そして、カード７０は、そのカード７０の縁７２をその溝５４に差し込むようにして図４（Ｂ），（Ｃ）に矢印Ｗで示す横方向に差し込まれ、カード受容部５３に受容される。この溝５４が設けられていることにより、カードトレイ５０の、カード７０を載せた下面を下に向けても、カード７０が落下することなく、カード７０がそのカード受容部５３に留まった状態が維持される。ここで、カードトレイ５０の下面に設けられているカード受容部５３は、本発明にいう第１のカード受容部の一例に相当する。また、そのカード受容部５３に受容されるカード７０は、本発明にいう第１のカードの一例に相当する。さらに、このカードトレイ５０の、カード受容部５３が設けられている下面は、本発明にいう第１面の一例に相当する。
【００３０】
図６は、図１に示す矢印Ａ−Ａに沿う面で切断したコネクタ本体と、その矢印Ａ−Ａに相当する面で切断したカードトレイ及びカードの断面図である。ここで、図６（Ａ）は、カードトレイ５０がコネクタ本体１０に差し込まれつつある状態を示した図である。また、図６（Ｂ）は、カードトレイ５０の、コネクタ本体１０の受容空間１２内への差込みが完了した状態を示した図である。
【００３１】
図６（Ｂ）に示すように、カード７０の側面７３がカードトレイ５０のカード受容部５３の側壁面５５に接した状態にある位置が、このカード７０の本来の受容位置（本発明にいう所定の受容位置の一例）である。これに対し、図６（Ａ）には、カード７０が、その本来の受容位置までは差し込まれていない状態のカード７０が示されている。ここでは、図６（Ａ）に示すように、カード７０がその本来の受容位置まで差し込まれていない状態のまま、カードトレイ５０がコネクタ本体１０に差し込まれるものとする。
【００３２】
ここで、下側ハウジング２０には、差込みの向き（矢印Ｆの向き）に対し斜めに形成された立壁からなるカム面２２が設けられている。
【００３３】
図６（Ａ）に示すような、本来の受容位置に差し込まれていない状態のカード７０を載せたカードトレイ５０がコネクタ本体１０に差し込まれる。すると、カード７０がカム面２２に干渉して、カード７０が矢印Ｗの向きに押される。こうして、カードトレイ５０がコネクタ本体１０に受容されたときには、図６（Ｂ）に示すように、カード７０は、カードトレイ５０の、本来の受容位置に受容された状態となる。このように、本実施形態によれば、カード７０が本来に受容位置に正しく受容されていなくても、カードトレイ５０をコネクタ本体１０に差し込むことによって、そのカード７０の受容位置が本来の受容位置に矯正されることになる。
【００３４】
図７は、コネクタ本体を構成する下側ハウジングと、そのコネクタ本体に差し込まれつつあるカードトレイを示した斜視図である。
【００３５】
カードトレイ５０には、矢印Ｆで示す差込みの向きの前端近くの左右両側にロック用の窪み５２が設けられている。一方、下側ハウジング２０には、カードトレイ５０が受容空間１２に受容されたときのカードトレイ５０の左右両側の窪み５２にそれぞれ対応する左右の位置に、ロック突起２３が備えられている。これらのロック突起２３は、それぞれ弾性アーム２４に固定されている。そして、これらのロック突起２３は、受容空間１２に受容されたカードトレイ５０の窪み５２に入り込む。カードトレイ５０は、その窪み５２にロック突起２３が入り込むことにより、コネクタ本体１０から不用意に抜け出ないように、受容空間１２内に受容された状態にロックされる。
【００３６】
また、この下側ハウジング２０には、矢印Ｆで示す差込み方向へのスライドが可能なスライドバー２５と、そのスライドバー２５に押されて回動する回動レバー２６が備えられている。受容空間１２内に受容されている状態にあるカードトレイ５０をその受容空間１２から抜き取る際は、スライドバー２５が不図示のイジェクトピンで矢印Ｆで示す差込みの向きに押される。すると、そのスライドバー２５がその差込みの向きにスライドして、回動レバー２６の一端部２６ａを押す。すると、その回動レバー２６の他端部２６ｂが、受容空間１２内に受容されているカードトレイ５０を、矢印Ｆで示す差込みの向きとは逆向きに押す。これにより、弾性アーム２４が弾性変形してロック突起２３がカードトレイ５０の窪み５２から外れ、カードトレイ５０がコネクタ本体１０から少し押し出される。その後は、指の爪や治具を使って、カードトレイ５０をコネクタ本体１０から引き抜く。本実施形態のカードコネクタ１００の場合、このような構造により、受容空間１２内に受容されたカードトレイ５０をロックし、また、受容空間１２内に受容されているカードトレイ５０がコネクタ本体１０から取り出される。
【００３７】
ここで、上述の実施形態は、カードトレイ５０の上面と下面との双方にカード受容部５１，５３が設けられていて、上面と下面との双方にカード６０，７０が置かれるタイプのカードコネクタ１００である。ただし、本発明は、カードトレイ５０の上面にカード６０を受容するカード受容部５１が設けられているか否かにかかわらず成り立つ発明である。例えば、カードトレイの第１面にのみカードを搭載するタイプのカードコネクタであって、そのカードコネクタを構成しているコネクタ本体が回路基板の下面に搭載される場合を考える。この場合には、カードトレイは、その下面にカードを載せた姿勢でコネクタ本体に差し込まれることになる。このような場合にも、本発明を好適に適用することができる。
【００３８】
また、上記の実施形態では、カードトレイ５０の下面のカード受容部５３は、カード７０を、正しい受容位置から、カードトレイ５０の左右方向のうちの一方向にのみスライド可能とする構成となっている。ただし、本発明は、正しい受容位置から左右いずれの方向にもスライド可能なカード受容部が設けられたカードトレイを備えたカードコネクタにも適用することができる。この場合、コネクタ本体の、カードトレイの幅方向両側に対応する左右双方にカム面をそれぞれ備える。こうすることにより、カードが正しい受容位置から左右のいずれの方向にスライドしていても、カードトレイをコネクタ本体に差し込むことにより、カードが正しい受容位置にスライドする。
【符号の説明】
【００３９】
１０  コネクタ本体
１１  差込口
１２  受容空間
２０  下側ハウジング
２１，３１  コンタクト
２２  カム面
２３  ロック突起
２４  弾性アーム
２５  スライドバー
２６  回動レバー
３０  上側ハウジング
４０  金属シエル
５０  カードトレイ
５１，５３  カード受容部
５２  窪み
５４  溝
５５  カード受容部の側壁面
６０，７０  カード
６１，７１  接続パッド
７２  カードの縁
７３  カードの側面
【図１】
2018010727.tif 000003
【図２】
2018010727.tif 000004
【図３】
2018010727.tif 000005
【図４】
2018010727.tif 000006
【図５】
2018010727.tif 000007
【図６】
2018010727.tif 000008
【図７】
2018010727.tif 000009